(57)【要約】【課題】電子錠の開錠を携帯電子端末との無線通信によって行う場合に、電子錠の開錠システムを司る電子回路や通信状況に不具合（異常）があっても、同じ電子錠に別の開錠システムを搭載することでバックアップ体制を確立している電子錠の開錠システム及び携帯電子端末の開錠プログラムを提供する。【解決手段】電子錠１には、２個の電子基板１１，１２が独立して備えられている。電子基板１１，１２は、携帯電子端末２との信号の送受信を行う通信部を各々有しており、携帯電子端末２から開錠信号が送信されると、電子基板１１，１２の一方又は両方で開錠信号を受信する。電子基板１１で開錠信号が受信できなくても、電子基板１２で開錠信号が受信できれば、開錠操作を行うことができ、また、電子基板１１で開錠信号を受信したにも関わらず開錠操作が行われなかった場合は、電子基板１２で開錠信号を受信して開錠操作が行われる。【選択図】図１
2019194398.tif 000002
【特許請求の範囲】
【請求項１】
開閉物に設置された電子錠と、利用者が携行する携帯電子端末と、における無線通信により当該電子錠の開錠を可能にする開錠システムであって、
前記電子錠は、
前記携帯電子端末との信号の送受信を行う通信部を有する電子基板を複数備えており、
前記携帯電子端末を認識している複数の前記通信部のうち、少なくとも１の前記通信部に対する扉の開錠信号の受信によって開錠操作が行われることを特徴とする開錠システム。
【請求項２】
前記電子錠は、
前記携帯電子端末を認識している複数の前記通信部のうち、１の前記通信部に対する開錠信号の受信によって開錠操作が行われなかったときに、他の前記通信部に対する開錠信号の受信によって開錠操作が行われることを特徴とする請求項１記載の開錠システム。
【請求項３】
前記電子錠における入退室管理を行うサーバーを有し、
前記開錠信号の受信によって開錠操作が行われた前記通信部は、前記携帯電子端末に対して、開錠操作が行われた開錠実行通知を送信し、
前記携帯電子端末と前記サーバーとにおける無線通信により、前記携帯電子端末が受信した前記開錠実行通知を前記サーバーが受信することを特徴とする請求項１又は２記載の開錠システム。
【請求項４】
前記電子錠における入退室管理を行う、複数の前記電子基板と接続されたサーバーを有し、
前記サーバーは、前記携帯電子端末から取得した前記認証コードの適否を判断し、前記電子基板又は前記携帯電子端末に対して開錠の許否信号を送信することを特徴とする請求項１又は２記載の開錠システム。
【請求項５】
前記電子錠は、複数の前記電子基板と接続されて当該電子錠の機能を総合的に制御する制御基板を有することを特徴とする請求項１から４のいずれか記載の開錠システム。
【請求項６】
特定の電子錠における複数の前記通信部と前記携帯電子端末とは、無線通信可能なエリアにおいて認識及び接続成功され、接続成功された複数の前記通信部のうち１の前記通信部との通信を確立することを特徴とする請求項１から５のいずれか記載の開錠システム。
【請求項７】
特定の電子錠における複数の前記通信部と前記携帯電子端末とは、無線通信可能なエリアにおいて認識され、認識された複数の前記通信部のうち１の前記通信部との接続を成功させて通信を確立することを特徴とする請求項１から５のいずれか記載の開錠システム。
【請求項８】
利用者が携行する携帯電子端末との信号の送受信を行う通信部を有する電子基板を複数備えた電子錠に対して、無線通信により当該電子錠の開錠を可能にする、当該携帯電子端末にインストールされる開錠プログラムであって、
前記携帯電子端末に対して、
前記電子錠における複数の前記通信部を認識する機能と、
複数の前記通信部又はこれらのうち１の前記通信部に対する接続を成功する機能と、
接続を成功している少なくとも１の前記通信部に対して、開錠信号の送信を行う機能と、
を実行させることを特徴とする開錠プログラム。
【請求項９】
前記開錠信号によって開錠操作が行われると、開錠操作が行われた開錠実行通知を受信する機能を実行させることを特徴とする請求項８記載の開錠プログラム。
【請求項１０】
特定の電子錠において認識している複数の前記通信部のうち、１の前記通信部に対する前記開錠信号の送信によって開錠操作が行われずに前記開錠実行通知を受信しなかったときに、
１の前記通信部に対する接続又は通信を遮断する機能と、
他の前記通信部に対する接続成功又は通信確立を行う機能と、
確立した他の前記通信部に対する前記開錠信号の送信を行う機能と、
を実行させることを特徴とする請求項９記載の開錠プログラム。
【請求項１１】
前記電子錠における入退室管理を行うサーバーとの通信を行う機能と、
前記サーバーに対して、前記開錠実行通知を送信する機能と、
を実行させることを特徴とする請求項９又は１０記載の開錠プログラム。
【請求項１２】
前記電子錠における入退室管理を行うサーバーとの通信を行う機能と、
前記通信部に対して、前記開錠信号の送信及び／又は開錠を許可する認証コードの送信を行う機能と、
を実行させることを特徴とする請求項９又は１０記載の開錠プログラム。
【発明の詳細な説明】
【技術分野】
【０００１】
本発明は、電子錠の開錠を携帯電子端末によって行う開錠システム及び開錠プログラム
に関する。
【背景技術】
【０００２】
各住宅やマンションの各室毎の扉（ドア）に設置された電子錠は、パスワードを入力して開錠するタイプや、カードキーを挿入して開錠するタイプや、携帯電子端末との通信によって開錠するタイプなどがある。
【０００３】
電子錠は、アナログ的な壊れ方よりも、電気的なトラブルが懸念される。例えば、電池式の場合、電池が切れて動かなくなることがある。また、電子回路や制御基盤の不具合によって、施開錠不能になることがある。
【０００４】
このような事態を想定して、緊急的に施錠状態を強制解除する物理的手段が設けられ、何らかのアナログキーで開放するための装置が付いていることが多い。これがないと、不測の事態にはドアを破壊しなければいけないことになる。特許文献１は、バッテリー部が不意に動かなくなった場合や電気回路が故障した場合のために、機械的強制開閉機構が具備されている。特許文献２は、停電や電気装置の故障が起こったときに、電子錠に併設したシリンダー錠によってロック状態を強制的に解除する機能を備えている。
【先行技術文献】
【特許文献】
【０００５】
【特許文献１】特開２０１０−７０９３１号公報
【特許文献２】特開２０１４−６６００３号公報
【発明の概要】
【発明が解決しようとする課題】
【０００６】
しかしながら、強制解除する物理的手段の操作は、操作方法を熟知している各住宅やマンションの入居者又は管理者であれば行うことができる一方、操作方法を熟知していない一般の利用者等は行うことができないか、入居者又は管理者の許可なしでは行うことを躊躇してしまう。
【０００７】
一方、本来的には、電子錠の電子的機能を発揮できるように電気的なトラブルを回避する策を講じる必要がある。特に、電子錠の開錠を携帯電子端末によって行う場合、通信状況に異常があるのか、電子錠の電子回路に異常があるのか、電源が喪失しているのか、などの様々なトラブルが想定され、これらのトラブルに対してバックアップできるようなシステムを構築する必要がある。
【０００８】
そこで、本発明は、電子錠の開錠を携帯電子端末との無線通信によって行う場合に、電子錠の開錠システムを司る電子回路や通信状況に不具合（異常）があっても、別の開錠システムを搭載することでバックアップ体制を確立している電子錠の開錠システム及び携帯電子端末の開錠プログラムを提供する。
【課題を解決するための手段】
【０００９】
上記課題を解決するために、本発明は、以下のものを提供する。
【００１０】
（１）  開閉物に設置された電子錠と、利用者が携行する携帯電子端末と、における無線通信により当該電子錠の開錠を可能にする開錠システムであって、前記電子錠は、前記携帯電子端末との信号の送受信を行う通信部を有する電子基板を複数備えており、前記携帯電子端末を認識している複数の前記通信部のうち、少なくとも１の前記通信部に対する開錠信号の受信によって開錠操作が行われることを特徴とする開錠システム。
【００１１】
本発明によれば、複数の通信部と携帯電子端末との信号の送受信において、少なくとも１の通信部に対する扉の開錠信号の受信によって開錠操作が行われることから、複数の通信部のうち１の通信部との通信が確立されていればよく、他の通信部を有する電子基板の状態は関係ないことから、電子基板における電子回路の不具合や通信不良などが起こっても、別の電子基板での処理を行うことができ、バックアップ体制を確立している電子錠の提供を可能としている。
【００１２】
電子錠と携帯電子端末とにおける無線通信において、両者は同じ通信規格内で認識をしたり、予め実行されたペアリングで認識をしたり、認識した両者を自動的に接続したり、所定の操作によって接続を成功させたりするが、本発明においては、携帯電子端末と複数の通信部とが認識されていて、少なくとも１の通信部に対して開錠信号の受信が行われれば足りる。国際規格に準拠した無線通信を利用することで、機器の認識及び接続を柔軟に行うことができる。
【００１３】
（２）  前記電子錠は、前記携帯電子端末を認識している複数の前記通信部のうち、１の前記通信部に対する開錠信号の受信によって開錠操作が行われなかったときに、他の前記通信部に対する開錠信号の受信によって開錠操作が行われることを特徴とする開錠システム。
【００１４】
本発明によれば、１の通信部に対する開錠信号の受信によって開錠操作が行われなかったときのリトライを、他の通信部に対する開錠信号の受信によって行うことから、１の通信部の通信不良やその電子基板の不具合を他の通信部を有する電子基板によってバックアップすることができる。
【００１５】
１の通信部から他の通信部への切り替えは、開錠操作が行われなかった開錠不能通知を受信した携帯電子端末が接続先又は通信先を変更することで行うことができる。また、開錠操作が行われたときは開錠実行通知を携帯電子端末に送信することでリトライの要否を判断することができる。
【００１６】
（３）  前記電子錠における入退室管理を行うサーバーを有し、前記開錠信号の受信によって開錠操作が行われた前記通信部は、前記携帯電子端末に対して、開錠操作が行われた開錠実行通知を送信し、前記携帯電子端末と前記サーバーとにおける無線通信により、前記携帯電子端末が受信した前記開錠実行通知を前記サーバーが受信することを特徴とする開錠システム。
【００１７】
本発明によれば、電子錠における入退室管理を行うサーバーは、電子錠とサーバーとが直接通信を行うのではなく、携帯電子端末を介して電子錠又はサーバーと通信を行うことから、電子錠をサーバー（インターネット回線）に接続する必要がなく、電子錠の構成や機能を簡易なものにすることができる。
【００１８】
特に、電子錠の省電力化を図るためには、余計なコンピュータ処理や通信をしないことが望ましく、コンピュータ処理機能を携帯電子端末のアプリケーションに委ねている。また、携帯電子端末のアプリケーションによって自動的に電子錠及びサーバーとの通信を行うことにより、携帯電子端末の利用者は煩雑な操作を要することなく、電子錠の開錠や入退室管理を行うことができる。
【００１９】
（４）  前記電子錠における入退室管理を行う、複数の前記電子基板と接続されたサーバーを有し、前記サーバーは、前記携帯電子端末から取得した前記認証コードの適否を判断し、前記電子基板又は前記携帯電子端末に対して開錠の許否信号を送信することを特徴とする開錠システム。
【００２０】
本発明によれば、電子錠における入退室管理を行うサーバーは、電子錠とサーバーとが直接通信を行うことで、開錠に対するセキュリティを高めている。すなわち、開錠のための認証コードの入力を携帯電子端末に要求し、サーバーにおいて認証コードの適否を判断することで、クローン携帯電子端末を持った成りすましやハッキングに対抗することができる。
【００２１】
認証コードは、予め定められたパスワードや都度発行されるワンタイムパスワード、顔情報や指紋情報や生体情報を認証コードとしてもよい。また、電子錠における処理の負荷を軽減するために、携帯電子端末からサーバーに認証コードが送られ、サーバーからは開錠の許否信号が電子基板又は携帯電子端末に送られる。
【００２２】
（５）  前記電子錠は、複数の前記電子基板と接続されて当該電子錠の機能を総合的に制御する制御基板を有することを特徴とする開錠システム。
【００２３】
本発明によれば、複数の電子基板と接続される制御基板を有することから、複数の電子基板による信号の干渉を制御基板によって総合的に制御することで、開錠処理の適正化を図ることができる。
【００２４】
（６）  特定の電子錠における複数の前記通信部と前記携帯電子端末とは、無線通信可能なエリアにおいて認識及び接続成功され、接続成功された複数の前記通信部のうち１の前記通信部との通信を確立することを特徴とする開錠システム。
（７）  特定の電子錠における複数の前記通信部と前記携帯電子端末とは、無線通信可能なエリアにおいて認識され、認識された複数の前記通信部のうち１の前記通信部との接続を成功させて通信を確立することを特徴とする開錠システム。
【００２５】
本発明によれば、（６）のＢｌｕｅｔｏｏｔｈや（７）のＷｉ−ｆｉを利用した無線通信を利用することができる。
【００２６】
（８）  利用者が携行する携帯電子端末との信号の送受信を行う通信部を有する電子基板を複数備えた電子錠に対して、無線通信により当該電子錠の開錠を可能にする、当該携帯電子端末にインストールされる開錠プログラムであって、前記携帯電子端末に対して、前記電子錠における複数の前記通信部を認識する機能と、複数の前記通信部又はこれらのうち１の前記通信部に対する接続を成功する機能と、接続を成功している少なくとも１の前記通信部に対して、開錠信号の送信を行う機能と、を実行させることを特徴とする開錠プログラム。
【００２７】
本発明によれば、複数の通信部と携帯電子端末との信号の送受信において、少なくとも１の通信部に対する扉の開錠信号の送信を行う。複数の通信部のうち１の通信部との通信が確立されていればよく、他の通信部を有する電子基板の状態は関係ないことから、電子基板における電子回路の不具合や通信不良などが起こっても、別の電子基板での処理を行うことができ、バックアップ体制を確立している電子錠に対する開錠プログラムの提供を可能としている。
【００２８】
（９）  前記開錠信号によって開錠操作が行われると、開錠操作が行われた開錠実行通知を受信する機能を実行させることを特徴とする開錠プログラム。
【００２９】
本発明によれば、電子錠から携帯電子端末へ送信される開錠実行通知を受信する機能を有することから、開錠されたか否かの判断が容易になる。また、受信した開錠実行通知によって入退室管理を携帯電子端末上で行うことができる。
【００３０】
（１０）  特定の電子錠において認識している複数の前記通信部のうち、１の前記通信部に対する前記開錠信号の送信によって開錠操作が行われずに開錠実行通知を受信しなかったときに、１の前記通信部に対する接続又は通信を遮断する機能と、他の前記通信部に対する接続成功又は通信確立を行う機能と、確立した他の前記通信部に対する前記開錠信号の送信を行う機能と、を実行させることを特徴とする開錠プログラム。
【００３１】
本発明によれば、１の通信部に対する開錠信号の受信によって開錠操作が行われなかったときのリトライを、他の通信部に対する開錠信号の受信によって行うことから、１の通信部の通信不良やその電子基板の不具合を他の通信部を有する電子基板によってバックアップすることができる。
【００３２】
電子基板では、１の通信部に対する接続を遮断し、他の通信部に対する接続成功を行い、確立した他の通信部に対する開錠信号の送信を行う。または、電子基板では、全ての接続を成功させたままで、１の通信部に対する通信を遮断し、他の通信部に対する通信確立を行い、確立した他の通信部に対する開錠信号の送信を行う。
【００３３】
（１１）  前記電子錠における入退室管理を行うサーバーとの通信を行う機能と、前記サーバーに対して、前記開錠実行通知を送信する機能と、を実行させることを特徴とする開錠プログラム。
【００３４】
本発明によれば、電子錠における入退室管理を行うサーバーは、電子錠とサーバーとが直接通信を行うのではなく、携帯電子端末を介して電子錠又はサーバーと通信を行うことから、電子錠をサーバー（インターネット回線）に接続する必要がなく、電子錠の構成や機能を簡易なものにすることができるとともに、コンピュータ処理機能を携帯電子端末のアプリケーションに委ねることにより、電子錠の省電力化を図ることができる。
【００３５】
（１２）  前記電子錠における入退室管理を行うサーバーとの通信を行う機能と、前記通信部に対して、前記開錠信号の送信及び／又は開錠を許可する認証コードの送信を行う機能と、を実行させることを特徴とする請求項９又は１０記載の開錠プログラム。
【００３６】
本発明によれば、電子錠における入退室管理を行うサーバーは、電子錠とサーバーとが直接通信を行うことで、開錠に対するセキュリティを高めている。すなわち、開錠のための認証コードの入力を携帯電子端末に要求し、サーバーにおいて認証コードの適否を判断することで、クローン携帯電子端末を持った成りすましやハッキングに対抗することができる。
【発明の効果】
【００３７】
本発明は、電子基板における電子回路の不具合や通信不良などが起こっても、別の電子基板での処理を行うためのバックアップ体制を確立しており、そのためのリトライを容易に行うことができるという効果がある。
【図面の簡単な説明】
【００３８】
【図１】本発明の実施の形態に係る開錠システムの概略構成図。
【図２】図１の開錠システムにおける電子基板のブロック図。
【図３】本発明の実施の形態に係る開錠システムの概略構成図。
【図４】図２の開錠システムにおける制御基板のブロック図。
【図５】開錠システムの処理の手順を示すフロー図。
【図６】認証付き開錠システムの処理の手順を示すフロー図。
【図７】認証付き開錠システムの処理の手順を示すフロー図。
【発明を実施するための最良の形態】
【００３９】
以下、本発明の実施の形態について図面に基づいて説明する。本発明の実施形態における電子錠は、開閉可能な扉（ドア）や金庫などの開閉物に設置される。
【００４０】
図１は、本発明の実施の形態に係る開錠システムの概略構成図であり、不具合や異常時に対するバックアップの観点から電子錠１に２個の電子基板１１，１２が独立して備えられている。図１では、電子基板は２個であるが、バックアップをより確実にするために電子基板は３個以上であってもよい。また、各々の電子基板１１，１２に供給する電力は同一源であってもよいが、電源系統の異常や喪失に備えるためには図１のように別個のものとして構成した方がよい。電力供給源としては、電池、外付けバッテリー、電気などいずれであってもよい。
【００４１】
図２は、図１の開錠システムにおける電子基板１１，１２のブロック図である。本発明の実施形態における電子錠の電子基板は、その主目的がバックアップにあることから、複数の電子基板の回路構成や機能は同一である。
【００４２】
電子基板１１，１２は、携帯電子端末２との信号の送受信を行う通信部４１と、錠の開閉操作機構を制御する制御部４２と、サーバー３との信号の送受信を行う通信部４３と、を有し、制御部４２は、錠を開錠操作する開錠処理部４４と、錠を施錠操作する施錠処理部４５と、を有する。電子基板１１，１２の主機能は、携帯電子端末２によって電子錠１の開錠操作が行われることにある。通信部４１と通信部４３とは同一の通信機能として一体化してもよい。
【００４３】
開錠処理部４４は、通信部４１を介して制御部４２が受信した携帯電子端末２からの開錠信号に基づいて開錠操作の要否を判断して、開錠指令を発する。施錠処理部４５は、開錠指令から一定時間経過後に施錠指令を発するか、開錠されてから一定時間経過後に施錠指令を発するか、扉の開閉を検知しておいて施錠指令を発するかなど、適宜施錠をコントロールすることができる。
【００４４】
図３は、本発明の実施の形態に係る開錠システムの概略構成図であり、電子錠１’に２個の電子基板１１，１２が独立して備えられていることに加えて、独立した電子基板１１，１２を総合的に制御する制御基板１３を有する。図３では、電子基板は２個であるが、バックアップをより確実にするために電子基板は３個以上であってもよい。また、各々の電子基板１１，１２に供給する電力は同一源であってもよいが、電源系統の異常や喪失に備えるためには図３のように別個のものとして構成した方がよい。電力供給源としては、電池、外付けバッテリー、電気などいずれであってもよい。なお、制御基板１３への電力供給は、電子基板１１，１２から又は別系統とすることができる。
【００４５】
図４は、図３の開錠システムにおける制御基板１３のブロック図である。なお、電子基板１１，１２については、通信部４３を除外した図２と同様に捉えることができる。
【００４６】
制御基板１３は、電子基板１１との信号の送受信を行う第１送受信部５１と、電子基板１２との信号の送受信を行う第２送受信部５２と、第１送受信部５１及び第２送受信部５２の信号を制御する総合制御部５３と、サーバー３との信号の送受信を行うサーバー通信部５４と、を有する。制御基板１３の主機能は、携帯電子端末２によって電子錠１の開錠操作が行われる際に、電子基板１１による処理と電子基板１２による処理との交通整理を行うことにある。
【００４７】
例えば、電子基板１１と電子基板１２との両方から開錠指令を発してしまうと、開錠操作が不能になったり電子的なトラブルが発生したりする可能性があることから、制御基板１３の総合制御部５３は、一方の開錠指令を有効化し他の開錠指令を無効化するなどの処理を行い、その結果を電子基板１１と電子基板１２の各制御部４２に返す。
【００４８】
図５は、開錠システムの処理の手順を示すフロー図であり、電子錠１と携帯電子端末２とによって電子錠１の開錠を行う手順を説明する。なお、携帯電子端末２は、スマートフォンやタブレット端末など無線通信の機能を有する電子端末である。本実施形態に係る開錠プログラムは、アプリケーションプログラムとして携帯電子端末２にインストールされて実行される。
【００４９】
まず、省電力状態や待機状態の電子錠１に対してスタンバイ解除の操作を行う（ステップＳ１１）。一方、携帯電子端末２に対して開錠システムが搭載されたアプリの起動を行う（ステップＳ２１）。
【００５０】
すると、電子錠１においては携帯電子端末２を認識して接続する動作が実行され（ステップＳ１２）、携帯電子端末２においては電子錠１の通信部４１を認識して接続する動作が実行される（ステップＳ２２）。例えば、電子錠１と携帯電子端末２とが予めペアリングされていれば、両者の認識及び接続を簡単に行うことができる。また、電子錠１と携帯電子端末２とが認識された状態において、両者の接続を行うための認証を必要とする場合には、携帯電子端末２のアプリケーション上でパスワード等の認証情報を入力して電子錠１に送信する。なお、携帯電子端末２において無線通信を行うための機能が制限されている場合には、アプリケーション上で無線通信を行うための機能を有効化する。
【００５１】
電子錠１と携帯電子端末２との接続に成功すると、両者の通信を確立するための処理を行う（ステップＳ１３，Ｓ２３）。これら一連の認識・認証・接続・通信の処理は、電子錠１又は携帯電子端末２に搭載された既知の処理プログラムによって実現することができる。
【００５２】
次に、携帯電子端末２から電子錠１に対して開錠信号を送信して（ステップＳ２４）、その開錠信号を電子錠１は受信したか否かを監視する（ステップＳ１４）。この監視状態において、電子錠１の制御部４２では、以下の［処理１］又は［処理２］が行われる。
【００５３】
［処理１］
携帯電子端末２と電子錠１の複数の通信部４１とをパラレルで接続及び通信することができる環境下では、携帯電子端末２からの開錠信号を電子錠１の複数の通信部４１で受信する。複数の通信部４１で受信した開錠信号を有効化するためには、図１に示すシステムによってサーバー３で有効化する開錠信号を選択するか、図３に示すシステムによって制御基板１３の総合制御部５３で有効化する開錠信号を選択する。開錠信号を処理する電子錠１の総合制御部５３は、開錠信号に基づいて開錠されたか否かを判断し（ステップＳ１５）、開錠されたと判定した場合には開錠処理を実行する一方（ステップＳ１６）、開錠していないと判定した場合にはリトライ処理を実行する（ステップＳ１７）。
【００５４】
［処理２］
携帯電子端末２と電子錠１の複数の通信部４１とをシリアルで接続及び通信することができる環境下では、携帯電子端末２からの開錠信号を電子錠１の特定の１の通信部４１で受信する。例えば、電子基板１１の通信部４１が優勢され、電子基板１２の通信部４１が劣勢されるように設定されている場合は、携帯電子端末２と電子基板１１の通信部４１との接続及び通信が第１に行われる。第１の接続及び通信の結果、開錠信号を受信した通信部４１によって開錠操作が行われた場合は、開錠処理を実行する（ステップＳ１６）。
一方、第１の接続及び通信の結果、電子基板１１の通信部４１が開錠信号を受信しなかった場合や、開錠信号を受信したにも関わらず開錠操作が行われなかった場合は、携帯電子端末２と電子錠１との接続先又は通信先を変更して、電子基板１２の通信部４１との接続又は通信に切り替えて、携帯電子端末２と電子基板１２の通信部４１との接続及び通信が第２に行われる。第２の接続及び通信の結果、開錠信号を受信した電子基板１２の通信部４１によって開錠操作が行われた場合は、開錠処理を終了する。
開錠信号を処理する電子錠１の総合制御部５３は、開錠するか否かを判断し（ステップＳ１５）、開錠すると判定した場合には開錠処理を実行する一方（ステップＳ１６）、開錠しないと判定した場合にはリトライ処理を実行する（ステップＳ１７）。
【００５５】
処理２において、電子基板１１の通信部４１が開錠信号を受信しなかった場合は、通信状況の不良や電子基板１１の通信部４１の不具合が考えられる。また、処理２において、開錠信号を受信したにも関わらず開錠操作が行われなかった場合は、通信部４１以外の電子基板１１の機能の不具合が考えられる。
【００５６】
電子錠１における開錠処理は（ステップＳ１６）、電子錠１から携帯電子端末２に開錠実行通知が送信されて、受信した携帯電子端末２に保存される（ステップＳ２５）。一方、電子錠１においてリトライ処理が実行されると（ステップＳ１７）、電子錠１から携帯電子端末２に開錠不能通知が送信されて、受信した携帯電子端末２に保存される（ステップＳ２５）。開錠実行通知／開錠不能通知は、開錠／不開錠、日時、場所等の情報が記されており、携帯電子端末２のアプリケーションによってサーバー３に送信される。
【００５７】
リトライ処理（ステップＳ１７）及び開錠実行が行われなかった場合の処理（ステップＳ２５）は、電子錠１と携帯電子端末２との認識・接続・通信確立の状態において最適な処理が行われる。すなわち、携帯電子端末２と接続変更前後の通信部４１との接続が成功している場合には、確立する通信先のみを変更すればよく、携帯電子端末２と接続変更前後の通信部４１との接続が行われていない場合には、接続する通信先を変更した後に通信を確立する。
【００５８】
図６及び図７は、認証付き開錠システムの処理の手順を示すフロー図であり、電子錠１と携帯電子端末２とによって電子錠１の開錠を行う際にサーバーの認証が必要となる手順を説明する。なお、電子錠１と携帯電子端末２との通信が確立するまでの手順（ステップＳ１１〜Ｓ１３，ステップＳ２１〜Ｓ２３）及び携帯電子端末２の開錠実行（ステップＳ２５）や電子錠１の開錠判断（ステップＳ１５）以降の手順は、既述した図５に基づく説明と同一であるから、説明を省略する。
【００５９】
図６では、電子錠１と携帯電子端末２との通信が確立すると、アプリケーション上の開錠要求ボタンを押圧することで、携帯電子端末２から電子錠１に対して開錠信号が送信され（ステップＳ２４−２）、その開錠信号を電子錠１は受信することとなるが（ステップＳ１４−１）、本実施形態においては、携帯電子端末２のタッチスクリーン等を利用して認証コードを入力し（ステップＳ２４−１）、その認証コードをサーバー３が受信して（ステップＳ３１）、サーバー３による認証コードの照合が行われる（ステップＳ３２）。
【００６０】
サーバー３による認証コードの認証の結果、認証ＯＫと判定されると（ステップＳ３３）、開錠許可信号が電子錠１に送信され、電子錠１において、開錠信号及び開錠許可信号を受信したか否かを判断する（ステップＳ１４）。開錠信号及び開錠許可信号に基づいて開錠が実行されると、開錠処理が行われる（ステップＳ１６）。一方、サーバー３による認証コードの認証の結果、認証ＮＧと判定されると（ステップＳ３４）、開錠許否信号が携帯電子端末２に送信されるとともに、再度認証コードの入力を促す（ステップＳ２４−１）。
【００６１】
図７では、電子錠１と携帯電子端末２との通信が確立すると、携帯電子端末２のタッチスクリーン等を利用して認証コードを入力し（ステップＳ２４−１）、その認証コードをサーバー３が受信して（ステップＳ３１）、サーバー３による認証コードの照合が行われる（ステップＳ３２）。サーバー３による認証コードの照合の結果、認証ＯＫと判定されると（ステップＳ３３）、開錠許可信号が携帯電子端末２に送信されて、アプリケーション上の開錠要求ボタンを押圧する操作が有効化される。携帯電子端末２から電子錠１に対して開錠信号が送信され（ステップＳ２４−２）、その開錠信号を電子錠１は受信する（ステップＳ１４）。
【００６２】
一方、サーバー３による認証コードの認証の結果、認証ＮＧと判定されると（ステップＳ３４）、開錠許否信号が携帯電子端末２に送信されるとともに、再度認証コードの入力を促す（ステップＳ２４−１）。
【００６３】
このように、図６では、電子錠１、携帯電子端末２、サーバー３の各々が通信を確立した状態で開錠処理が行われる。また、図７では、携帯電子端末２を起点として電子錠１又はサーバー３とが通信を確立した状態で開錠処理が行われる。
【００６４】
電子基板１１，１２の状態は、開錠実行通知又は開錠不能通知によって検知することができ、受信した携帯電子端末２からサーバー３に送信された情報が開錠実行通知であれば電子基板は正常、開錠不能通知であれば電子基板は異常と判定することができる。
【産業上の利用可能性】
【００６５】
本発明は、電子錠が正常作動しない不測の事態を回避するためのシステムとして有用である。
【符号の説明】
【００６６】
１  電子錠
２  携帯電子端末
３  サーバー
１１，１２  電子基板
１３  制御基板
【図１】
2019194398.tif 000003
【図２】
2019194398.tif 000004
【図３】
2019194398.tif 000005
【図４】
2019194398.tif 000006
【図５】
2019194398.tif 000007
【図６】
2019194398.tif 000008
【図７】
2019194398.tif 000009